(57)【要約】  【課題】大幅な構造体の違い無しにオフサイクル方式とホットガス方式に構造・部品の共通化ができ、コストを抑えた冷却ユニットを提供することを目的とする。  【解決手段】ドレンパン２１、もしくはドレンパン２１から庫外へのドレン水排水路２２にヒーター２３を備え、ヒーター２３の一部に温度上昇検知手段２４を設けることにより、樹脂製のドレンパン、ドレン水排水路、ドレンパンを支持している断熱部材の変形温度内にヒーター温度を制御することができるので、オフサイクル方式で使用しているこれらの部品をそのまま利用することができる。【選択図】図１
2005337676.tif 000002
【特許請求の範囲】
【請求項１】
電動圧縮機と凝縮器と蒸発器とに冷媒を流通させる冷凍サイクルを備え、前記蒸発器の除霜にホットガス回路を設けるとともに、前記蒸発器の下部に備えた樹脂製ドレンパン内部、あるいは、前記ドレンパンから庫外へのドレン水排水路の、少なくともどちらかにヒーターを備え、前記ヒーターの一部に温度上昇検知手段を設けたことを特徴とする冷却ユニット。
【請求項２】
前記ドレン水排水路を筒状ヒーターとしたことを特徴とする請求項１記載の冷却ユニット。
【請求項３】
前記ドレン水排水路をＵ字状ヒーターとしたことを特徴とする請求項１記載の冷却ユニット。
【請求項４】
前記ドレンパン部のヒーターを板状ヒーターとし、前記板状ヒーターにフィンを形成したことを特徴とする請求項１記載の冷却ユニット。
【発明の詳細な説明】
【技術分野】
【０００１】
本発明は、米穀類、農産物などを収納、貯蔵する装置に取り付け、装置内部の温度を調節する冷却ユニットの技術に関するものである。
【背景技術】
【０００２】
従来の冷却ユニットに関するものとしては、例えば特許文献１がある。
【０００３】
以下、図面を参考にしながら上記従来の冷却ユニットを説明する。図５は冷却ユニットを取り付けた貯蔵庫の斜視図である。図６は冷却ユニットの平面断面図、図７は冷却ユニットのドレンパンの斜視図を示している。
【０００４】
図５に示すように、貯蔵庫本体１０１は断熱構造で、玄米・野菜・その他食品が収納できる程度の大きさに形成され、前面は扉１０３により開閉可能とし、上面には冷却ユニット１０４が取り付けられている。貯蔵する食品の食味が低下するのを抑制するために、貯蔵庫本体１０１内の雰囲気を適切な条件に保持する手段として、冷却ユニット１０４により、貯蔵庫本体１０１内に冷気を流入、循環させている。
【０００５】
冷却ユニット１０４は、図６に示すように、電動圧縮機１と凝縮器２と蒸発器３との冷却部位により構成される冷凍サイクルを備えている。なお、４はキャピラリチューブ、５はドライヤー、６は蒸発器３に取り付けたファンである。
【０００６】
冷却ユニット１０４は、図６に示すように、蒸発器３の上流側に設けた吸い込み口７、および蒸発器３の下流側に設けた吹き出し口８とによって貯蔵庫本体１０１の内部と連通している。そして、貯蔵庫本体１０１内の空気は、ファン６により吸い込み口７から蒸発器３に流入し、熱交換して冷気が吹き出し口８から貯蔵庫本体１０１内に流出されるので、貯蔵庫本体１０１内を冷気が循環し、貯蔵庫本体１０１内の温度を調節する。蒸発器３の部分は、冷凍サイクルにおいては最も低温の領域であるので、外気と接触して外気温により影響されるのを避けるために、断熱部材９により包囲して外気を遮断している。しかし、貯蔵庫本体１０１内の湿気などによって蒸発器３には着霜するので、除霜する必要がある。貯蔵庫本体１０１内の温度が２℃以上の場合は、数時間毎に１０分間、貯蔵庫本体１０１内の空気を蒸発器３に吹き付けるオフサイクル除霜方式により、蒸発器３の除霜を行っている。
【０００７】
蒸発器３の霜取りにより発生した水（ドレン水）は、蒸発器３の下方に位置させ、断熱部材９に設けた凹部に嵌着させた樹脂製のドレンパン１０に貯溜させるようにしている（図７参照）。そして、ドレンパン１０にはドレン水排水路１１を突設させており、ドレンパン１０に貯溜した水は、このドレン水排水路１１を通って断熱部材９の外部に排水するようにしている。
【特許文献１】特開２００２−８１８４６号公報
【発明の開示】
【発明が解決しようとする課題】
【０００８】
しかしながら、上記従来の構成では、空気温度を０℃以下で運転する場合、排水経路の凍結防止用加熱が必要となるが、ドレンパン１０やドレンパン１０を支持している断熱部材９の材質が樹脂製であることから変形を起こしやすくそのまま使えない。よって、構造体・材料を大きく変更せざるをえないことから、部品の共通化が図れずコストアップになっているという欠点があった。
【０００９】
本発明は上記従来の課題を解決するもので、大幅な構造体の違い無しに、オフサイクル方式とホットガス方式に構造・部品の共通化ができ、コストを抑えた冷却ユニットを提供することを目的とする。
【課題を解決するための手段】
【００１０】
上記従来の課題を解決するために、本発明の冷却ユニットは、蒸発器の除霜にホットガス方式を備えるとともに、前記蒸発器の下部に備えた樹脂製ドレンパン内部、あるいはドレンパンから庫外へのドレン水排水路の、少なくともどちらかにヒーターを備え、前記ヒーターの一部に温度上昇検知手段を設けたものである。これによって、樹脂製のドレンパン、ドレン水排水路、ドレンパンを支持している断熱部材の変形温度内にヒーター温度を制御することで、オフサイクル方式で使用しているこれらの部品をそのまま利用することができる。
【発明の効果】
【００１１】
本発明の冷却ユニットは、大幅な改造無しにオフサイクル方式とホットガス方式に構造・部品の共通化ができ、コストを抑えた冷却ユニットを提供することができる。
【発明を実施するための最良の形態】
【００１２】
本発明の請求項１に記載の発明は、電動圧縮機と凝縮器と蒸発器とに冷媒を流通させる冷凍サイクルを備え、前記蒸発器の除霜にホットガス回路を設けるとともに、前記蒸発器の下部に備えた樹脂製ドレンパン内部、あるいは、前記ドレンパンから庫外へのドレン水排水路の、少なくともどちらかにヒーターを備え、前記ヒーターの一部に温度上昇検知手段を設けたことにより、樹脂製のドレンパン、ドレン水排水路、ドレンパンを支持している断熱部材の変形温度内にヒーター温度を制御することで、オフサイクル方式で使用しているこれらの樹脂部品をそのまま利用することができ、コストを抑えた冷却ユニットを提供することができる。
【００１３】
本発明の請求項２に記載の発明は、請求項１に記載の発明において、ドレン水排水路を筒状ヒーターとしたものであり、オフサイクル方式で使用しているこれらの樹脂部品をそのまま利用することができ、コストを抑えた冷却ユニットを提供することができる。
【００１４】
本発明の請求項３に記載の発明は、請求項１に記載の発明において、ドレン水排水路をＵ字状ヒーターとしたものであり、オフサイクル方式で使用しているこれらの樹脂部品をそのまま利用することができ、コストを抑えた冷却ユニットを提供することができる。
【００１５】
本発明の請求項４に記載の発明は、請求項１に記載の発明において、前記ドレンパン部のヒーターを板状ヒーターとし、前記板状ヒーターにフィンを形成したものであり、オフサイクル方式で使用しているこれらの部品をそのまま利用することができ、コストを抑えた冷却ユニットを提供することができる。
【００１６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１７】
（実施の形態１）
図１は、本発明の実施の形態１による冷却ユニットのドレンパンとドレン水排水路の斜視図である。
【００１８】
図１において、２１はドレンパンでドレン水排水路２２を一体とした樹脂成型品で構成されている。また、ドレンパン２１およびドレン水排水路２２には、線状のヒーター２３を設けており、ヒーター２３には過昇防止の温度上昇検知手段（センサー）２４を取り付けている。
【００１９】
以上のように構成された冷却ユニットについて、以下その動作について説明する。
【００２０】
冷却ユニットの貯蔵庫を冷却する動作は従来例と同じであるので説明を省略する。空気制御温度は０℃以下に設定できるものである。除霜に関してホットガス除霜方式を採用しており、電動圧縮機１（図示せず）から吐出された冷媒を、直接蒸発器３（図示せず）に流すことで、霜を融解する。
【００２１】
蒸発器３の霜取りにより発生した水（ドレン水）は、蒸発器３の下方に位置するドレンパン２１に流れ落ち、一体化されたドレン水排水路２２を経て外部に排出される。ここでドレンパン２１上に水が滴状に残った場合、除霜完了後の冷却運転に戻った際に凍結し、次の除霜運転時において排水の妨害となるが、ヒーター２３によってドレンパン２１、ドレン水排水路２２が加熱され凍結した水（氷）を融解することで良好な排水状態が得られる。また、霜量が少なく、ヒーター周辺の水量が少ない場合、ヒーター２３の温度上昇を来すが、過昇防止の温度上昇検知手段（センサー）２４により温度検出し、制御手段によりヒーター２３への通電動作を制御することでドレンパン２１を損傷なく使用することができる。
【００２２】
以上のように、本実施の形態において、蒸発器の除霜にホットガス方式を備えるとともに、蒸発器３の下部に備えたドレンパン２１内部、もしくはドレンパン２１から庫外へのドレン水排水路２２にヒーター２３を備え、ヒーター２３の一部に温度上昇検知手段（センサー）２４を設けることにより、ドレンパン２１、ドレン水排水路２３、ドレンパン２１を支持している断熱部材９の変形温度内にヒーター２３の温度を制御することで、オフサイクル方式で使用しているこれらの樹脂部品をそのまま利用することができ、部品を共通化することで、コストを抑えた冷却ユニットを提供することができる。
【００２３】
（実施の形態２）
図２は、本発明の実施の形態２による冷却ユニットのドレンパンとドレン水排水路の斜視図である。
【００２４】
図２において、３１はドレンパンでドレン水排水路３２を一体とした樹脂成型品で構成されている。また、ドレンパン３１およびドレン水排水路３２には、それぞれに板状のヒーター３３、３４を設けており、それぞれのヒーターには温度上昇検知手段（センサー）３５，３６を取り付けている。
【００２５】
以上のように構成された冷却ユニットについて、以下その動作について説明する。
【００２６】
基本的な動作に関しては実施の形態１と同じであるが、板状のヒーター３３，３４はヒーター線を金属製の板に挟み込んでおり熱伝導で熱が拡散されるため、入力に対して表面温度が低くなる。これにより、ドレンパン３１の変形を来す温度上昇を抑えることが出来る。また、ドレンパン３１とドレン水排水路３２のヒーター３３，３４それぞれに、温度上昇検知手段（センサー）３５，３６を取り付けることによって、水の流れに対して位置的な水の滞留量の違い、ヒーター表面温度の上昇ばらつきなど、より安心できる制御が可能である。
【００２７】
以上のように、本実施の形態において、蒸発器３の除霜にホットガス方式を備えるとともに、蒸発器３の下部に備えたドレンパン３１内部、またはドレンパン３１から庫外へのドレン水排水路３２に板状ヒーター３３，３４を備え、板状ヒーター３３，３４の一部に温度上昇検知手段（センサー）３５，３６を設けたことにより、ドレンパン３１、ドレン水排水路３２、ドレンパン３１を支持している断熱部材９の変形温度内にヒーター温度を制御することで、オフサイクル方式で使用しているこれらの樹脂部品をそのまま利用することができ、部品を共通化することで、コストを抑えた冷却ユニットを提供することができる。
【００２８】
（実施の形態３）
図３は、本発明の実施の形態３による冷却ユニットのドレンパンとドレン水排水路の斜視図である。
【００２９】
図３において、４１はドレンパンで樹脂成型品である。４２はドレン水排水路でアルミパイプにヒーター４３を巻き付けた円筒状ヒーターでもある。ドレンパン４１には、板状ヒーター４４を設けており、板状ヒーターには温度上昇検知手段（センサー）４５を取り付けている。
【００３０】
以上のように構成された冷却ユニットについて、以下その動作について説明する。
【００３１】
基本的な動作に関しては実施の形態１と同じであるが、ドレン水排水路の円筒状ヒーター４２はヒーター４３を金属製の筒に接触しており熱伝導で熱が拡散されるため、入力に対して表面温度が低くなる。これにより、ドレンパン４１の変形を来す温度上昇を抑えることが出来る。また、温度上昇検知手段（センサー）４５により温度検出し、制御手段により板状ヒーター４４への通電動作を制御することで樹脂製のドレンパンの損傷なく使用することができる。
【００３２】
以上のように、本実施の形態において、蒸発器３の除霜にホットガス方式を備えるとともに、蒸発器３の下部に備えたドレンパン４１から庫外へのドレン水排水路に円筒状ヒーター４２を備え、ヒーターの一部に温度上昇検知手段（センサー）４５を設けることにより、ドレンパン４１、ドレン水排水路、ドレンパン４１を支持している断熱部材の変形温度内に円筒状ヒーター４２の温度を制御することで、オフサイクル方式で使用しているこれらの樹脂部品をそのまま利用することができ、部品を共通化することで、コストを抑えた冷却ユニットを提供することができる。
【００３３】
なお、本実施例では、ドレン水排水路をアルミパイプにヒーターを巻き付けた円筒状ヒーターで構成したが、図４に示すようにＵ字状に成型したアルミ板にヒーターを巻き付けたＵ字状ヒーターとし、ドレンパンの板状ヒーターにフィン５４を付け表面積を大きくすることでさらに表面温度の上昇を抑えたものでも同様の効果が得られる。
【産業上の利用可能性】
【００３４】
本発明の冷却ユニットは、蒸発器の除霜にホットガス方式を備えるとともに、蒸発器の下部に備えた樹脂製ドレンパン内部、あるいはドレンパンから庫外へのドレン水排水路の、少なくともどちらかにヒーターを備え、ヒーターの一部に温度上昇検知手段を設けることにより、ドレンパン、ドレン水排水路、ドレンパンを支持している断熱部材の変形温度内にヒーター温度を制御することで、農産物貯蔵庫等の用途にも適用できる。
【図面の簡単な説明】
【００３５】
【図１】本発明の実施の形態１における冷却ユニットのドレンパンとドレン水排水路の斜視図
【図２】本発明の実施の形態２における冷却ユニットのドレンパンとドレン水排水路の斜視図
【図３】本発明の実施の形態３における冷却ユニットのドレンパンとドレン水排水路の斜視図
【図４】本発明の実施の形態４における冷却ユニットのドレンパンとドレン水排水路の斜視図
【図５】従来の冷却ユニットを搭載した貯蔵庫の斜視図
【図６】従来の冷却ユニットの平面断面図
【図７】従来の冷却ユニットのドレンパンの斜視図
【符号の説明】
【００３６】
２１、３１、４１、５１  ドレンパン
２２、３２  ドレン水排水路
２３、４３  ヒーター
２４、３５、３６、４５  温度上昇検知手段（センサー）
３３、３４、４４、５３  板状ヒーター
４２  ドレン水排水路（円筒状ヒーター）
５２  ドレン水排水路（Ｕ字状ヒーター）
【図１】
2005337676.tif 000003
【図２】
2005337676.tif 000004
【図３】
2005337676.tif 000005
【図４】
2005337676.tif 000006
【図５】
2005337676.tif 000007
【図６】
2005337676.tif 000008
【図７】
2005337676.tif 000009